(57)【要約】【課題】本発明は、足への密着性と美観の優れた締紐と、脱いだり履いたりする簡便性が優れているスライドファスナーを併備するとともに、スライドファスナー部分の防水性、防砂性の向上を図ることにより、履き易く歩き易く且つ外観の優れたシューズを提供することを課題とする。【解決手段】締紐とスライドファスナーからなる緊締開閉部を備えたシューズにおいて、スライドファスナー部分を覆うための、胛被の一部を延伸させたカバーを設けることにより、スライドファスナー部分の防水性、防砂性を向上させるとともに、外観の優れたシューズである。【選択図】図１
2005006810.tif 000002
【特許請求の範囲】
【請求項１】
胛被の中央部には締紐を、更に側部にはスライドファスナーからなる緊締開閉部を備え、少なくとも該スライドファスナー部分をカバーで覆ったことを特徴とするシューズ。
【請求項２】
上記のカバーが胛被の一部を延伸させたものである請求項１に記載のシューズ。
【請求項３】
上記のカバーの内側に面ファスナーを設けたものである請求項１乃至２に記載のシューズ。
【発明の詳細な説明】
【０００１】
【発明の属する技術分野】
本発明は、締紐による緊締開閉部と該締紐部の側部に設けられたスライドファスナーからなる緊締開閉部とを有するシューズにおいて、該緊締開閉部分の緊締性、開閉性、更に防水性、防砂性及び外観の向上を図る技術に関する。
【０００２】
【従来の技術】
従来、靴の緊締開閉部は紐で足を締め付けるタイプのものと、ファスナーで足を締め付けるタイプのものの２タイプが知られている。これらのうち、紐により足を締め付けるタイプは、足への密着性が優れるものの、靴を履いたり脱いだりする際に、いちいち紐を解いたり結んだりしなければならないという点で簡便性が劣る面があった。
【０００３】
他方、ファスナーで足を締め付けるタイプは、靴を履いたり脱いだりする際の簡便性は優れるものの、足への密着性と見た目が、紐によるものより劣るものであった。
【０００４】
また、紐で足を締め付けるタイプとファスナーで足を締め付けるタイプの両方を備えたシューズが開示されている。例えば特許文献１参照。更に特許文献２参照。これらの考案文献によれば、靴を履いたり脱いだりする際の作業性が容易であるとともに、見た目に紐付きの外観を備えたものである。
【０００５】
然しながら、これらの考案において、ファスナー部分は砂や小石などが付着し噛み合せ部分に異物がはさまることにより、スムーズな開閉が阻害されることがある。また、胛被に露出したファスナーは美観を損ねるものである。
【０００６】
【特許文献１】
実公昭６０−８６０４号公報
【０００７】
【特許文献２】
実公昭５９−１７７３０７号公報
【０００８】
【発明が解決しようとする課題】
本発明は、上記の問題を解決すべく提案されたもので、足への密着性の優れた締紐と、脱いだり履いたりする簡便性が優れているスライドファスナーを併設するとともに、スライドファスナー部分の防水性、防砂性及び外観の向上を図ることにより、履き易く外観の優れたシューズを提供することを目的とする。
【０００９】
【課題を解決するための手段】
本発明は上記の目的を達成するため、胛被の中央部には締紐を、更に側部にはスライドファスナーからなる緊締開閉部を備え、少なくとも該スライドファスナー部分をカバーで覆ったことを特徴とするシューズを提案する（請求項１）
【００１０】
また、上記のカバーが胛被の一部を延伸させたものである請求項１に記載のシューズを提案する（請求項２）
【００１１】
さらに、上記のカバーの内側に面ファスナーを設けたものである請求項１乃至２に記載のシューズを提案する（請求項３）
【００１２】
【発明の実施の形態】
以下、本発明の実施形態例を図面に従って詳細に説明する。
【００１３】
図１は，本発明に係るシューズの実施例のゴルフ用シューズである。本図におけるシューズは、大きくは１の胛被部（アッパー）と、２の本底部に分けられる。胛被部は更に、３の締紐、４の紐穴、５のカバー、６のタン、７の腰革、及び８のスライドファスナーから成る。締紐は胛被の一部に設けられた紐穴に通して係止されてあり、締紐の側部に設けられたスライドファスナーは胛被の腰革の一端に固定されている。
【００１４】
スライドファスナーを覆う位置には、胛被の一部を延伸させて形成したカバーが設けられてある。該カバーは通常はスライドファスナーを覆っているが、シューズを履くときと脱ぐときには、開いてファスナーをスライドさせ開閉を行なう。
【００１５】
図２は、上記の実施例におけるカバー５を閉じて、スライドファスナーを覆った状態を示している。
【００１６】
図３は、カバー５を開いて、ファスナー８をスライドさせ開いた状態の緊締開閉部の拡大説明図である。本図の状態では、足入れ部分が広く開放されるため、容易に履くことができる。尚、本図におけるカバーの内側に設けた９は面ファスナーであり、カバーを閉じた状態でのカバーの腰革７への固着が確実にされる。
【００１７】
上記のカバーの内側に設けた面ファスナーは、合わせるだけで自然と噛みあってしまい、開くときも容易に開放される簡便なものだが、面ファスナーに限らず、フックやボタン等を使用することも可能である。更にゴルフ用途のシューズの場合は、グリーンマーカーをボタンに設けた凹所に装着させることもできる。
【００１８】
図４は、従来の締紐が胛被の中央部に設けられたシューズである。履くときは、係る締紐を緩めておいて足をいれて、紐を締め上げることにより優れた足への密着性が得られる。また、脱ぐときは再び締紐を緩める必要があり、簡便性は劣るといえる。但し、紐を緩めに結んでおくことにより、いちいち紐を解かないででも履いたり脱いだりも不可能ではないが、当然足への密着性は劣り、歩き難くなる。
【００１９】
図５は、従来の締紐とスライドファスナーを併設したシューズの例であり、胛被に露出したスライドファスナーにより、履いたり脱いだりの簡便性は確保されるものの、スライドファスナー部分は砂や小石が付着したり、ファスナーの噛み合せ部分に侵入し、スムーズな開閉に支障が発生することがある。また、胛被部分に露出したスライドファスナーの外観は、締紐だけのものに対して劣るものである。
【００２０】
図６に示したのは、本発明の別の実施例であり、スライドファスナーの取付位置を、腰革のほぼ中央部に設けたもので、カバーも同様に備えたものである。この様にスライドファスナー及びカバーの取付位置は、締紐の側部とは限らず胛被のあらゆる部分に設けることが可能である。
【００２１】
また、スライドファスナーの引っぱり把手は、リング状にすると、より容易にスムーズな開閉ができるようになり、特に幼児や老人や身障者には扱い易くすることが可能となる。
【００２２】
上記の様に、本明細書においては、ゴルフシューズの例で説明を試みたが、本発明の用途は、スポーツ用以外の幼児用、老人用、障害者用、一般用のシューズに適用が可能であることはいうまでもない。
【００２３】
【発明の効果】
請求項１に係る発明によれば、締紐とスライドファスナーを併設したことにより、履き易く脱ぎ易いとともに、スライドファスナーのスムーズな開閉が確保され、更にスライドファスナーが胛被に露出せず収まることにより外観が優れたシューズである。
【００２４】
請求項２に係る発明によれば、スライドファスナーを覆うカバーが胛被の一部の延伸したものであるから、胛被と一体に見えて優れた外観が得られる。
【００２５】
請求項３に係る発明によれば、スライドファスナーを覆うカバーの内側に面ファスナーを装着することにより、カバーを閉じた際に、自然と噛みあってしまい確実に胛被部分との固着ができる。
【００２６】
【図面の簡単な説明】
【図１】締紐とスライドファスナーからなる緊締開閉部と、スライドファスナーを覆うカバーを備えた本発明のシューズの正面図である。
【図２】スライドファスナーを覆うカバーを閉めた状態の本発明のシューズの正面図である。
【図３】カバーを開いて、ファスナーをスライドさせ開いた状態の本発明の緊締開閉部の拡大説明図である。
【図４】締紐が胛被の中央部に設けられたシューズの正面図である。
【図５】従来の、低紐とスライドファスナーからなる緊締開閉部を設けたシューズである。
【図６】スライドファスナーとカバーが腰革の中央部に設けられた本発明のシューズである。
【符号の説明】
１  胛被（アッパー）
２  本底（ソール）
３  締紐（靴紐）
４  紐穴
５  カバー
６  タン
７  腰革
８  スライドファスナー
９  面ファスナー
【図１】
2005006810.tif 000003
【図２】
2005006810.tif 000004
【図３】
2005006810.tif 000005
【図４】
2005006810.tif 000006
【図５】
2005006810.tif 000007
【図６】
2005006810.tif 000008